(57)【要約】【課題】弛みがなく、液がパイプ内に残らないうえ、支持構造も簡単で済み、吊作業にかかる手間が少なくて済み、しかも外観上の体裁向上も図れる空中配管およびこの空中配管を用いた空中潅水パイプを提供する。【解決手段】空中配管を１１樹脂パイプ１２とワイヤ１３とを平行配置で一体化した構成とする。ワイヤ１３は、樹脂パイプ１２の周壁外面部位に配置する。ワイヤ１３は樹脂膜１４により被覆し、樹脂膜１４を樹脂パイプ１２の周壁と一体化する。空中配管１１を適用して潅水配管とする。【選択図】  図１
2005237282.tif 000002
【特許請求の範囲】
【請求項１】
樹脂パイプとワイヤとを平行配置で一体化してなることを特徴とする空中配管。
【請求項２】
前記ワイヤが前記パイプの周壁外面部位に配置されている請求項１記載の空中配管。
【請求項３】
前記ワイヤは樹脂膜により被覆され、前記樹脂膜が前記パイプの周壁と一体化されている請求項１記載の空中配管。
【請求項４】
前記パイプと前記ワイヤとは樹脂モールドによる一体成形物である請求項１記載の空中配管。
【請求項５】
請求項１ないし４のいずれかに記載の空中配管を適用した潅水配管。
【発明の詳細な説明】
【技術分野】
【０００１】
本発明は、空中にて通水を行うための空中配管、および同空中配管を適用して植物栽培園や施設等で植物への潅水を行うために使用する潅水配管に関するものである。
【背景技術】
【０００２】
従来、開花植物等の栽培園において利用される空中潅水装置において、ポリエチレン樹脂製等の樹脂パイプが適用されている。
【０００３】
図３は、潅水配管として適用されている従来の空中配管の構成を示す断面図である。
【０００４】
この図３に示すように、従来では空中配管１として、例えば所定の肉厚を有する断面円形のポリエチレン製樹脂パイプが単体で適用されている。
【０００５】
図４は、図３に示した従来の空中配管１における配管吊構造および配管吊状態を示している。
【０００６】
この図４に示すように、従来では例えば空中配管１を軸方向に沿って所定間隔をあけた複数箇所で支持ワイヤ２を用いて吊下げ支持している。
【０００７】
この場合、図４に示すように、空中配管１は樹脂製で可撓性を有するため、自重により各支持位置の中間部分にて垂れ下がり、煩雑な状態となる。また、垂れ下がった空中配管部分には通水後においても管内に水が残る。
【０００８】
なお、従来では、このような空中配管の自重による撓みを支持部材によって防止する技術が提案されている。その例として、配管ルートに沿ってあらかじめワイヤを張り渡し、ワイヤの両端を建物の建築部材に取付けて引張金具で引張るとともに、ワイヤの中間部分を弛みが出ないような間隔で吊金具を用いて吊上げるようにする提案がある（特許文献１参照）。
【特許文献１】特開２０００−１３０６４０号公報
【発明の開示】
【発明が解決しようとする課題】
【０００９】
上述したように、従来構造においては、樹脂パイプが自重により支持位置間にて垂れ下がって煩雑な状態となり、垂れ下がった部分のパイプ内に潅水後も液が残る等の問題がある。
【００１０】
また、その改善技術としての公知文献記載の吊金具を用いる技術では、配管支持のために多数の吊金具を必要とし、支持構造が複雑で吊作業に多くの手間がかかるとともに、外観上の体裁も極めて悪くなるものであった。
【００１１】
本発明は、このような事情に鑑みてなされたものであり、弛みがなく、液がパイプ内に残らないうえ、支持構造も簡単で済み、吊作業にかかる手間が少なくて済み、しかも外観上の体裁向上も図れる空中配管およびこの空中配管を用いた空中潅水パイプを提供することを目的とする。
【課題を解決するための手段】
【００１２】
前記の目的を達成するために、請求項１に係る発明では、樹脂パイプとワイヤとを平行配置で一体化してなることを特徴とする空中配管を提供する。
【００１３】
請求項２に係る発明では、前記ワイヤが前記パイプの周壁外面部位に配置されている請求項１記載の空中配管を提供する。
【００１４】
請求項３に係る発明では、前記ワイヤは樹脂膜により被覆され、前記樹脂膜が前記パイプの周壁と一体化されている請求項１記載の空中配管を提供する。
【００１５】
請求項４に係る発明では、前記パイプと前記ワイヤとが樹脂モールドによる一体成形物である請求項１記載の空中配管を提供する。
【００１６】
請求項５に係る発明では、請求項１ないし４のいずれかに記載の空中配管を適用した潅水配管を提供する。
【発明の効果】
【００１７】
本発明によれば、樹脂パイプとワイヤとを平行配置で一体化したことにより、ワイヤの剛性によって比較的大きい間隔で支持した吊状態でも樹脂パイプが殆ど弛むことがない。したがって、管内に液が残らないうえ、支持構造も簡単で済み、吊作業にかかる手間が少なくて済む。しかも、外観上の体裁も従来の撓み防止構造に比して向上することができる。
【発明を実施するための最良の形態】
【００１８】
以下、本発明の実施形態について、図１および図２を参照して説明する。
【００１９】
図１は、本実施形態による潅水配管として適用される空中配管を示す断面図であり、図２は、同配管の吊構造および状態を示す説明図である。
【００２０】
図１に示すように、本実施形態の空中配管１１は基本的に、樹脂パイプ１２とワイヤ１３とを平行配置で一体化した構成とされている。
【００２１】
具体的には、樹脂パイプ１２はポリエチレン樹脂製パイプ（例えば直径１〜数ｃｍ）であり、開花植物等の栽培園等において利用される空中潅水用として適する径、肉厚,長さが設定されている。
【００２２】
ワイヤ１３は鋼その他の金属製ワイヤ（例えば直径１〜数ｍｍの針線材、撚線材等）であり、潅水配管として通水時における配管自重および水その他の液体の重量に対して剛性を維持し得る強度が設定されている。なお、ワイヤ１３には剛性繊維を適用することも可能である。
【００２３】
本実施形態では、このワイヤ１３が１本、樹脂パイプ１２の周壁外面部位に軸心を平行に揃えて配置されている。
【００２４】
そして、ワイヤ１３は、その全体を樹脂パイプ１２と同樹脂製の樹脂膜１４により被覆されており、この樹脂膜１４が樹脂パイプ１２の周壁外面に一体化されている。
【００２５】
すなわち、これら樹脂パイプ１２とワイヤ１３とは、樹脂モールドの引き抜き成形によって製造された一体成形物とされている。
【００２６】
なお、図示の例では、１本の樹脂パイプ１２に対して１本のワイヤ１３を配設したが、このワイヤ１３の本数は必要に応じて２本以上として、種々増加することができる。例えば３本ないし数本を接近させ、または等間隔等をもって任意の間隔で樹脂パイプ１２の外周面部位に配設することも可能である。
【００２７】
また、樹脂パイプ１２およびワイヤ１３の断面形状は真円とされているが、楕円、角形等としてもよい。
【００２８】
図２は、開花植物等の栽培園において利用される空中潅水装置として適用した例を示している。
【００２９】
この図２に示すように、ワイヤ１３が一体化された樹脂パイプ１２からなる空中配管１１１が、軸方向に沿って所定間隔をあけた複数箇所で支持ワイヤ１５を用いて吊下げ支持されている。
【００３０】
図示の例では、樹脂パイプ１２が水平に配置されており、ワイヤ１３は樹脂パイプ１２の上側の外周面部位に配置されている。なお、傾斜地等に設置される場合等、各種角度をもって配置される場合もある。
【００３１】
そして、この図２に示すように、本実施形態では、空中配管１１が樹脂製で可撓性を有する樹脂パイプ１２を主体として構成されているにも拘わらず、ワイヤ１３によって上側外周面部位にて補強されているため、自重および通水荷重に対して各支持位置の中間部分にて垂れ下がることなく、直線的に配置支持される。
【００３２】
したがって、従来のように垂れ下がった空中配管部分に通水後においても管内に水等の液体が残るということがなく、全て通水され、常に新鮮な水等の潅水が可能となる。
【００３３】
また、従来対策と異なり、弛みが出ないよう引張金具で引張る構成の煩雑さがなくなる。
【００３４】
以上のように、本実施形態によれば、樹脂パイプ１２とワイヤ１３とを平行配置で一体化したことにより、ワイヤ１３の剛性によって比較的大きい間隔で支持した吊状態でも樹脂パイプ１２が殆ど弛むことがない。したがって、管内に液が残らないうえ、支持構造も簡単で済み、吊作業にかかる手間が少なくて済む。しかも、外観上の体裁も従来の撓み防止構造に比して向上することができる。
【図面の簡単な説明】
【００３５】
【図１】本発明に係る空中配管の実施形態を示す断面図。
【図２】本発明に係る潅水配管の実施形態の使用状態を示す説明図。
【図３】従来の空中配管を示す断面図。
【図４】従来の潅水配管の使用状態を示す説明図。
【符号の説明】
【００３６】
１１  空中配管
１２  樹脂パイプ
１３  ワイヤ
１４  樹脂膜
１５  支持ワイヤ
【図１】
2005237282.tif 000003
【図２】
2005237282.tif 000004
【図３】
2005237282.tif 000005
【図４】
2005237282.tif 000006